(57)【特許請求の範囲】
【請求項１】
作業面を有する什器に載置、もしくは取り付けられる設置部と、該設置部から回動可能もしくは角度変更可能に延ばされたアームと、該アームの先端部から連設された照明部とを備えたタスクライト装置であって、
前記照明部は、
光源をなす照明装置が内蔵されるとともに、該照明装置から発生される光を下方へ向けて案内する照射用開口部が形成された照明構成部と、
前記照明装置の電源のオン・オフを切り替え可能とした非接触による近接感知センサーを備えた電源操作部と、
を有し、
前記照明構成部には、長尺をなし、前記照射用開口部の互いに対向して長手方向に延びる開口縁に案内レールが設けられ、
前記電源操作部は、前記照明構成部とは別体のセンサーユニットを構成してなり、
該センサーユニットには、前記案内レールに沿ってスライド可能に係合する係合部が形成されていることを特徴とするタスクライト装置。
【請求項２】
前記案内レールは、前記照射用開口部の対向両縁部のそれぞれに設けられていることを特徴とする請求項１に記載のタスクライト装置。
【請求項３】
前記センサーユニットには、前記アームに対して前記照明部を回動可能、あるいは角度変更可能に保持するアーム取付部が設けられ、
該アーム取付部は、前記アームが前記電源操作部の下方に位置しないように、前記アームに対する前記照明部の可動範囲を規制する構成とされることを特徴とする請求項１または２に記載のタスクライト装置。
【請求項４】
前記電源操作部は、前記光の照度を段階的に切り換えることを可能としていることを特徴とする請求項１乃至３のいずれか１項に記載のタスクライト装置。
【請求項５】
前記近接感知センサーは、照射した赤外線の反射量に応じて前記照明装置の電源のオン・オフを切り替え可能とした赤外線センサーであることを特徴とする請求項１乃至４のいずれか１項に記載のタスクライト装置。
【発明の詳細な説明】
【技術分野】
【０００１】
本発明は、オフィスや家庭等の執務空間にて、作業面の照度を確保するために使用されるタスクライト装置に関する。
【背景技術】
【０００２】
従来、オフィスや家庭等の執務空間にて、作業面の照度を確保するために使用されるタスクライト装置としては、タスクライト装置の設置面上に位置するベース部の上面に電源スイッチが設けられているのが一般的である（例えば、特許文献１、２参照）。
これらの構造によれば、タスクライト装置の照明部にスイッチ機構を設ける必要が無いため、照明部を簡易的な構造として軽量化することができると共に、電源スイッチのオン・オフ操作時において照明部が設定位置から動いてしまうおそれが無い点で使い勝手がよいものとなっている。
【０００３】
また、電源スイッチをタスクライト装置の照明部に配設したものも一般的に多く見られている（例えば、特許文献３参照）。
この構造の場合、照明部と電源スイッチが近接して配置されているので、使用者が直感的に電源の位置を知ることができる。
【先行技術文献】
【特許文献】
【０００４】
【特許文献１】特開平０１−１０５４９９号公報
【特許文献２】特開平１１−０２５７２３号公報
【特許文献２】特開２００８−１２３８６３号公報
【発明の概要】
【発明が解決しようとする課題】
【０００５】
しかしながら、従来のタスクライト装置では、以下のような問題があった。
すなわち、特許文献１、２のタスクライト装置では、ベース部が設置面近傍に配置されることになるため、設置面上に載置した物品によって電源スイッチが閉塞されてしまったり、誤操作してしまうおそれがあった。また、照明部と電源スイッチが離れた位置に配置されるため、使用者が電源の位置を直感的に確認しにくいという問題も有していた。
【０００６】
さらに、特許文献３のタスクライト装置においては、電源スイッチがベース部から上方に延出して設けられたアームを介して支持される照明部近傍に設けられているため、スイッチの操作によって照明部の位置が意図せず変わってしまう場合があり、使い勝手が悪くなってしまうという問題があった。
このように、従来のタスクライト装置では、電源スイッチの操作性と視認性、およびスイッチ操作による照明部位置の変動防止をバランス良く達成できるものが求められており、その点で改良の余地があった。
【０００７】
本発明は、上述する問題点に鑑みてなされたもので、意図せず電源スイッチのオン・オフ操作してしまうことがなく、使用者が直感的に電源の位置を知ることができると共に、オン・オフ操作時においても照明部の設定位置が動くのを防ぐことができるタスクライト装置を提供することを目的とする。
【課題を解決するための手段】
【０００８】
上記目的を達成するため、本発明に係るタスクライト装置では、作業面を有する什器に載置、もしくは取り付けられる設置部と、設置部から回動可能もしくは角度変更可能に延ばされたアームと、アームの先端部から連設された照明部とを備えたタスクライト装置であって、照明部は、光源をなす照明装置が内蔵されるとともに、照明装置から発生される光を下方へ向けて案内する照射用開口部が形成された照明構成部と、照明装置の電源のオン・オフを切り替え可能とした非接触による近接感知センサーを備えた電源操作部とを有し、照明構成部には、長尺をなし、照射用開口部の互いに対向して長手方向に延びる開口縁に案内レールが設けられ、電源操作部は、照明構成部とは別体のセンサーユニットを構成してなり、該センサーユニットには、案内レールに沿ってスライド可能に係合する係合部が形成されていることを特徴とていることを特徴としている。
【０００９】
本発明では、近接感知センサーの検出範囲に手などをかざすことによりそのセンサーでのスイッチをオン・オフさせることができ、非接触により照明装置の電源のオン・オフを切り替えることができる。つまり、電源のオン・オフ操作時に照明部に触れることがないので、照明部の一部に接触式の電源操作部を設けた従来のタスクライト装置のように、オン・オフ操作時に照明部に触れることにより、その照明部が動いてしまうおそれがない。そのため、設定した照明部の位置が電源のオン・オフ操作によってずれることが無くなる利点があり、その照明部の位置の移動に伴ってその都度、所定位置に戻す必要がなくなることから、使い勝手が良好となる。
【００１０】
そして、電源操作部がアームの先端に位置する照明部に設けられているので、タスクライト装置の設置面上に載置した物品によって誤って電源操作部のスイッチをオン・オフするといった意図しない操作を防ぐことができる。
また、電源操作部が使用者の視線に近く、意識し易い照明部に設けられているので、使用者が直感的に電源操作部の位置を確認することができ、この点においても使い勝手が優れている。
【００１１】
また、本発明に係るタスクライト装置では、案内レールは、照射用開口部の対向両縁部のそれぞれに設けられていることがより好ましい。
【００１２】
この場合、センサーユニットの係合部を案内レールに沿ってスライドさせることで、センサーユニットの取り付け位置を照明構成部の長手方向で任意の位置に変更することが可能であり、これにより照明部の長さを変更したい場合や電源操作部の位置を変更したい場合等であっても、同一のスイッチユニットを使用することによって対応することができる。
【００１３】
また、本発明に係るタスクライト装置では、センサーユニットには、アームに対して照明部を回動可能、あるいは角度変更可能に保持するアーム取付部が設けられ、アーム取付部は、アームが電源操作部の下方に位置しないように、アームに対する照明部の可動範囲を規制する構成とされることがより好ましい。
【００１４】
この場合には、近接感知センサーの検知範囲にアームが進入することがなくなるので、アームによる電源操作部の誤動作がなくなり、意図しない電源スイッチのオン・オフ操作を防止することができる。
【００１５】
また、本発明に係るタスクライト装置では、電源操作部は、光の照度を段階的に切り換えることを可能としていることが好ましい
【００１６】
本発明では、照明部に設けられる電源操作部によって電源のオン・オフだけでなく、照明の照度を任意に変更することが可能となるため、使い勝手をより良好とすることができる。
【００１７】
また、本発明に係るタスクライト装置では、近接感知センサーは、照射した赤外線の反射量に応じて照明装置の電源のオン・オフを切り替え可能とした赤外線センサーであることが好ましい。
【００１８】
この場合には、赤外線の周波数を変えることで検知範囲を調整することが可能であり、また赤外線は指向性が狭いので必要以外の物品を検知することを抑えることができ、タスクライト装置の電源操作として好適である。
【発明の効果】
【００１９】
本発明のタスクライト装置によれば、意図せず電源スイッチをオン・オフ操作してしまうことが無く、使用者が直感的に電源の位置を知ることができると共に、オン・オフ操作時においても照明部に触れることによる設定位置のずれをなくすことができる効果を奏する。
【図面の簡単な説明】
【００２０】
【図１】本発明の実施の形態によるタスクライト装置の一例を示す斜視図である。
【図２】図１に示す照明部の斜視図である。
【図３】図１に示すタスクライト装置の側面図である。
【図４】タスクライト装置の概略分解斜視図である。
【図５】図４に示すタスクライト装置をさらに詳細に分解した斜視図である。
【図６】照明カバーの上面図である。
【図７】照明部の下面図である。
【図８】図７に示すＡ−Ａ線断面図である。
【図９】図７に示すＢ−Ｂ線断面図である。
【図１０】エンドカバーの平面図である。
【図１１】スイッチカバーを下方から見た図である。
【図１２】スイッチカバーの側面図である。
【発明を実施するための形態】
【００２１】
以下、本発明の実施の形態によるタスクライト装置について、図面に基づいて説明する。
【００２２】
図１および図２に示す本実施の形態によるタスクライト装置１は、オフィスや家庭等の執務空間にて作業面の照度を確保するために使用されるものである。
タスクライト装置１は、作業面Ｄａを有するデスクＤ（什器）に取り付けられる設置部２と、設置部２から回動可能もしくは角度変更可能に延ばされたアーム３と、アーム３の先端部から連設された照明部４とを備えて概略構成されている。
ここで、デスクＤは、作業面Ｄａの前面に仕切り壁Ｄｂを有するとともに、この仕切り壁面Ｄｂの上縁に沿って延びる凹溝Ｄｃが設けられている。
【００２３】
図３に示すように、設置部２は、アーム３の基端部に回動可能に設けられるピン部材２１と、このピン部材２１を上方から挿入可能に支持するピン挿入部２２ａおよびデスクＤの凹溝Ｄｃに係合する係合部２２ｂを有するクランプ部２２とを備えている。つまり、デスクＤの凹溝Ｄｃに係合部２２ｂを係合させることでクランプ部２２が固定され、そのピン挿入部２２ａにアーム３の基端部に設けられたピン部材２１を嵌入させることで、アーム３が設置部２を介してデスクＤに支持されることになる。
【００２４】
アーム３は、照明部４へ繋がる電源ケーブル５が内部に挿通されており、先端部に後述するスイッチユニット１０が支持されている。
【００２５】
図４および図５に示すように、照明部４は、光源をなすＬＥＤ基板４２（照明装置）が内蔵されるとともに、このＬＥＤ基板４２から発生される光を下方へ向けて案内する照射用開口部４１ａが形成された照明構成部４０と、ＬＥＤ基板４２の電源のオン・オフを切り替え可能とした非接触による赤外線センサー１１（近接感知センサー、電源操作部）を備えたスイッチユニット１０（センサーユニット）とからなる。
【００２６】
先ず、ＬＥＤによる光源を備えた照明構成部４０について説明する。
照明構成部４０は、押出し成形により構成されるとともに照射用開口部４１ａを形成する照明カバー４１と、この照明カバー４１の内部に内蔵された前記ＬＥＤ基板４２と、ＬＥＤ基板４２の下面側に配置される反射板４３と、照射用開口部４１ａを塞ぐ透光性を有する透光板４４（カバー部材）と、照明カバー４１の両端部を閉塞するエンドカバー４５とを備えて概略構成されている。
【００２７】
図６乃至図９に示すように、照明カバー４１は、一方向に延びる長尺部材で上板部４１Ａとその幅方向両側から下方に向けて延びる側壁部４１Ｂ、４１Ｂとからなり、断面視（長手方向に直交する断面）において下方に開口する略コの字形状をなしている。照明カバー４１の照射用開口部４１ａには、互いに対向して配置された並行する開口縁に沿って係合溝４１ｂ（案内レール）が形成されている。この係合溝４１ｂには、後述するスイッチユニット１０の係合凸部１３ｃ、透光板４４の係合凸部４４ａ、エンドカバー４５の係止凸部４５ａが係合可能となっている。
【００２８】
そして、照明カバー４１の側壁部４１Ｂには、その内面において照射用開口部４１ａより上の部分から内空側に張り出すとともに、上方に向けて湾曲した張出カール部４１ｃが設けられている。この張出カール部４１ｃは、照明カバー４１の長手方向全体にわたって設けられ、その長手方向両端部の張出カール部４１ｃ内面に雌ねじ部（図示省略）が形成されている。この雌ねじ部は、エンドカバー４５を固定するためのビス４５ｅ（図５参照）を螺合させるためのものである。
また、側壁部４１Ｂには、光源から発生される熱を放熱するための溝４１ｄが設けられている。
【００２９】
図５に示すように、ＬＥＤ基板４２は、照明カバー４１の上板部４１Ａの下面に配置され、スイッチユニット１０を介して電源に繋がれており、基板下面に複数のＬＥＤが適宜な間隔をもって配置されている。
【００３０】
図８および図９に示すように、反射板４３は、ＬＥＤ基板４２のＬＥＤに対応する位置に開口が設けられ、幅方向中央が盛り上がった形状をなし、幅方向両端が照明カバー４１の張出カール部４１ｃの上端に係止した状態で、ＬＥＤ基板４２を照明カバー４１に押し付けることで下方より支持している。
【００３１】
図５、図７および図８に示す透光板４４は、その幅方向両側部に係合溝４１ｂに沿ってスライド可能に係合する係合凸部４４ａが形成されている。つまり、透光板４４は、その係合凸部４４ａを係合溝４１ｂに係合させつつ、照明カバー４１の長手方向端部の開口から差し込んで取り付けることができる構成となっている。なお、透光板４４は、照射用開口部４１ａのうちスイッチユニット１０が取り付けられた部分を除く開口部を閉塞する。
【００３２】
図４、図５および図１０に示すように、エンドカバー４５は、一端面側に照明カバー４１の係合溝４１ｂに係止する係止凸部４５ａが設けられ、上述した張出カール部４１ｃ（図８）の雌ねじ部に対応する位置にビス用の挿通孔４５ｂが形成されている。さらに、エンドカバー４５の他端面側には、凹陥部４５ｃが設けられ、この凹陥部４５ｃに例えばネームプレート等の閉塞部材４５ｄが嵌って取り付けられている。つまり、エンドカバー４５は、その係止凸部４５ａを係合溝４１ｂに係止させた状態で、凹陥部４５ｃ側からビス４５ｅを挿通孔４５ｂに挿通させつつ、張出カール部４１ｃの雌ねじ部に螺合させることで、照明カバー４１の長手方向端部の開口を塞ぐ構成となっている。
【００３３】
次に、照明部４を構成するスイッチユニット１０は、図４および図５に示すように、赤外線センサー１１を備えた制御基板１２と、この制御基板１２を内側に収容するとともに、赤外線センサー１１による赤外線を送受信するための開口部１３ａを有するスイッチカバー１３と、スイッチカバー１３に一体的に設けられアーム３の先端に回動可能に取り付け可能なアーム取付部１４とを備えている。
【００３４】
赤外線センサー１１は、下方に向かって照射した赤外線が他の物体に当たって反射された反射量に応じてＬＥＤ基板４２の電源のオン・オフを切り替えるものである。なお、この反射可能範囲（検出範囲）は例えば１０ｃｍ程度に設定することができる。例えば、赤外線センサー１１の検出範囲で手をかざすことで、センサーのスイッチがオン・オフされ、これによりＬＥＤ基板４２の電源の入り切りを行うことができる。なお、赤外線センサー１１は、赤外線の周波数を変えることで検知範囲を調整することが可能であり、また赤外線は指向性が狭いので必要以外の物品を検知することを抑えることができ、タスクライト装置１の電源操作として好適である。
また、本赤外線センサー１１は、検出時間に応じて光の照度を段階的に切り換えることを可能としている。
【００３５】
図１１および図１２に示すように、スイッチカバー１３は、長手方向の一端側に前記開口部１３ａが配置され、アーム取付部１４が取り付けられる他端側の部分に電源ケーブル５（図５参照）用の貫通穴１３ｂが設けられ、さらに幅方向両側部に照明カバー４１の係合溝４１ｂに沿ってスライド可能に係合する係合凸部１３ｃ（係合部）が形成されている。そして、スイッチカバー１３の開口部１３ａには、赤外線を透過することが可能なセンサーカバー１３ｄ（図５）が嵌め込まれている。
つまり、スイッチカバー１３は、制御基板１２を収容した状態で、その係合凸部１３ｃを係合溝４１ｂに係合させつつ、照明カバー４１の長手方向端部の開口から差し込んでスライドさせて照明カバー４１の任意の位置に取り付けることができる構成となっている。なお、スイッチカバー１３は、その長手方向両側に上述した透光板４４、あるいはエンドカバー４５が配置されることにより、スライド方向への移動が規制され、所定位置で固定されることになる。
【００３６】
図４および図５に示すアーム取付部１４は、アーム３の軸方向（長手方向）に直交する方向の回転軸１４ａを有し、この回転軸１４ａを中心にして回動可能であり、これにより照明部４全体がアーム３の先端に対して角度変更可能に連結されている。そして、アーム取付部１４は、アーム３がセンサーカバー１３ｄ（赤外線センサー１１）の下方に位置しないようにアーム３に対する可動範囲が、公知の規制構造によって規制されている。
【００３７】
次に、上述したタスクライト装置１の作用について、図面に基づいて詳細に説明する。
図４、図５、図７乃至図９に示すように、スイッチユニット１０の開口部１３ａ付近、すなわち赤外線センサー１１の検出範囲に手などをかざすことによりそのセンサー１１でのスイッチをオン・オフさせることができ、非接触によりＬＥＤ基板４２の電源のオン・オフを切り替えることができる。つまり、電源のオン・オフ操作時にタスクライト装置１の照明部４に触れることがないので、照明部の一部に接触式の電源操作部を設けた従来のタスクライト装置のように、オン・オフ操作時に照明部に触れることにより、その照明部が動いてしまうおそれがない。
そのため、本タスクライト装置１では、設定した照明部４の位置が電源のオン・オフ操作によってずれることが無くなる利点があり、その照明部４の位置の移動に伴ってその都度、所定位置に戻す必要がなくなることから、使い勝手が良好となる。
【００３８】
そして、赤外線センサー１１がアーム３の先端に位置する照明部４に設けられているので、タスクライト装置１の設置面上、すなわちデスクＤの作業面Ｄａに載置した物品によって誤って電源操作部のスイッチをオン・オフするといった意図しない操作を防ぐことができる。
また、スイッチユニット１０の赤外線センサー１１が使用者の視線に近く、意識し易い照明部４に設けられているので、使用者が直感的に赤外線センサー１１の位置を確認することができ、この点においても使い勝手が優れている。
【００３９】
また、本タスクライト装置１においては、スイッチユニット１０の係合凸部１３ｃを係合溝４１ｂに沿ってスライドさせることで、スイッチユニット１０の取り付け位置を照明構成部４０の長手方向で任意の位置に変更することが可能であり、これにより照明部４の長さを変更したい場合やスイッチユニット１０の位置を変更したい場合等であっても、同一のスイッチユニット１０を使用することによって対応することができる。
【００４０】
さらに、スイッチユニット１０のアーム取付部１４が、アーム３が赤外線センサー１１の下方に位置しないように、アーム３に対する照明部４の可動範囲を規制する構成であって、赤外線センサー１１の検知範囲にアーム３が進入することがなくなるので、アーム３による赤外線センサー１１の誤動作がなくなり、意図しない電源スイッチのオン・オフ操作を防止することができる。
【００４１】
さらにまた、照明部４に設けられる赤外線センサー１１では、電源のオン・オフだけでなく、手でかざす検知時間に応じて照度を段階的に切り換え、任意の照度に変更することが可能となるため、使い勝手をより良好とすることができる。
【００４２】
上述のように本実施の形態によるタスクライト装置では、意図せず電源スイッチをオン・オフ操作してしまうことが無く、使用者が直感的に電源、つまり赤外線センサー１１の位置を知ることができると共に、オン・オフ操作時においても照明部４に触れることによる設定位置のずれをなくすことができる効果を奏する。
【００４３】
以上、本発明によるタスクライト装置の実施の形態について説明したが、本発明は上記の実施の形態に限定されるものではなく、その趣旨を逸脱しない範囲で適宜変更可能である。
例えば、本実施の形態では照明カバー４１の照射用開口部４１ａに係合溝４１ｂを設け、この係合溝４１ｂに対応するようにスイッチユニット１０に係合凸部１３ｃ、透光板４４に係合凸部４４ａ、およびエンドカバー４５に係止凸部４５ａを設けているが、このような構成に限定されることはなく、照射用開口部４１ａ側の案内レールを凸部とし、スイッチユニット１０、透光板４４、およびエンドカバー４５側を凹溝としても良い。
【００４４】
また、本実施の形態ではスイッチユニット１０においてスイッチカバー１３にアーム取付部１４を一体的に設けた構造としているが、アーム取付部１４はスイッチカバー１３に対して別体で設けてもかまわない。
また、タスクライト装置１のデスクＤなどの構造体に対する固定方法は、本実施の形態のような設置部２に限定されることはなく、取り付ける対象の構造体に合わせた設置部構造を採用することが可能である。要は、アーム３を備えた照明部４からなるタスクライト装置１が本願発明の適用範囲となるのである。
【００４５】
さらに、本実施の形態では、ＬＥＤ基板４２を反射板４３によって下方から支持する構造としているが、これに限定されることはなく、例えば接着により照明カバー４１の上板部４１Ａの下面に取り付けても良い。或いは、透光板４４側に予めＬＥＤ基板４２を固定させた構成であってもかまわない。この場合、透光板４４の取り付けとともにＬＥＤ基板４２を同時に配置することができるので、透光板４４とＬＥＤ基板４２との位置決め作業をなくすことができる。
【００４６】
さらにまた、本実施の形態では近接感知センサーとして赤外線センサー１１を採用しているが、これに制限されず、他の周波数による電磁波を用いたセンサーを適用しても良い。
そして、本実施の形態では赤外線センサー１１の検知範囲において、赤外線を遮る時間に応じて段階的に照度を変化させる構成としているが、このような照度変化機能を用いない構成であってもかまわない。
【００４７】
さらに、タスクライト装置１の照明構成部４０、スイッチユニット１０の各部の形状、寸法等の構成は、条件に応じて適宜設定することが可能である。
その他、本発明の趣旨を逸脱しない範囲で、上記した実施の形態における構成要素を周知の構成要素に置き換えることは適宜可能である。
【符号の説明】
【００４８】
１  タスクライト装置
２  設置部
３  アーム
４  照明部
１０  スイッチユニット（センサーユニット）
１１  赤外線センサー（近接感知センサー、電源操作部）
１２  制御基板
１３  スイッチカバー
１３ａ  開口部
１３ｃ  係合凸部（係合部）
１３ｄ  センサーカバー
１４  アーム取付部
４０  照明構成部
４１  照明カバー
４１ａ  照射用開口部
４１ｂ  係合溝（案内レール）
４２  ＬＥＤ基板（照明装置）
４４  透光板
４４ａ  係合凸部
４５  エンドカバー
４５ａ  係止凸部
Ｄ  デスク（什器）
【図１】
0005624852.tif 000002
【図２】
0005624852.tif 000003
【図３】
0005624852.tif 000004
【図４】
0005624852.tif 000005
【図５】
0005624852.tif 000006
【図６】
0005624852.tif 000007
【図７】
0005624852.tif 000008
【図８】
0005624852.tif 000009
【図９】
0005624852.tif 000010
【図１０】
0005624852.tif 000011
【図１１】
0005624852.tif 000012
【図１２】
0005624852.tif 000013